(57)【要約】 【課題】リンクアグリゲーションを設定しているスタック構成機器の交換等の容易化。【解決手段】リンクアグリゲーション管理装置は、所定の中継装置とリンクアグリゲーションを用いて接続された仮想的に１台の装置として動作するスタック構成機器の変更を検出する状態監視部と、前記スタック構成機器の変更を検出した場合、前記中継装置における前記リンクアグリゲーションの設定解除と前記変更後のスタック構成機器によるリンクアグリゲーションの設定を実施する中継装置制御部と、を備える。【選択図】図１
2020088714.tif 000002
【特許請求の範囲】
【請求項１】
所定の中継装置とリンクアグリゲーションを用いて接続された仮想的に１台の装置として動作するスタック構成機器の変更を検出する状態監視部と、
前記スタック構成機器の変更を検出した場合、前記中継装置における前記リンクアグリゲーションの設定解除と前記変更後のスタック構成機器によるリンクアグリゲーションの設定を実施する中継装置制御部と、
を備えるリンクアグリゲーション管理装置。
【請求項２】
前記状態監視部は、前記スタック構成機器のＭＡＣアドレスの変化により、前記スタック構成機器の変更を検出する請求項１のリンクアグリゲーション管理装置。
【請求項３】
前記状態監視部は、
前記変更後のスタック構成機器と前記中継装置とのリンクダウンと再接続の検出を契機として、前記中継装置制御部に対し、リンクアグリゲーション設定通知を送信し、
前記中継装置制御部は、前記リンクアグリゲーション設定通知の受信を契機として、前記変更後のスタック構成機器によるリンクアグリゲーションの設定を実施する請求項１又は２のリンクアグリゲーション管理装置。
【請求項４】
前記状態監視部は、
前記スタック構成機器の変更として、前記スタック構成機器の増設を検出する請求項１から３いずれか一のリンクアグリゲーション管理装置。
【請求項５】
リンクアグリゲーションを用いて接続された仮想的に１台の装置として動作するスタック構成機器の変更を検出する状態監視部と、
前記スタック構成機器の変更を検出した場合、前記リンクアグリゲーションの設定解除と前記変更後のスタック構成機器によるリンクアグリゲーションの設定を実施する制御部と、
を備える中継装置。
【請求項６】
前記状態監視部は、前記スタック構成機器のＭＡＣアドレスの変化により、前記スタック構成機器の変更を検出する請求項５の中継装置。
【請求項７】
前記状態監視部は、
前記変更後のスタック構成機器とのリンクダウンと再接続の検出を契機として、前記制御部に対し、リンクアグリゲーション設定通知を送信し、
前記制御部は、前記リンクアグリゲーション設定通知の受信を契機として、前記変更後のスタック構成機器によるリンクアグリゲーションの設定を実施する請求項５又は６の中継装置。
【請求項８】
前記状態監視部は、
前記スタック構成機器の変更として、前記スタック構成機器の増設を検出する請求項５から７いずれか一の中継装置。
【請求項９】
所定の中継装置とリンクアグリゲーションを用いて接続された仮想的に１台の装置として動作するスタック構成機器の変更を検出し、
前記スタック構成機器の変更を検出した場合、前記中継装置における前記リンクアグリゲーションの設定解除と前記変更後のスタック構成機器によるリンクアグリゲーションの設定を実施する、
を備えるリンクアグリゲーション管理方法。
【請求項１０】
所定の中継装置とリンクアグリゲーションを用いて接続された仮想的に１台の装置として動作するスタック構成機器の変更を検出する処理と、
前記スタック構成機器の変更を検出した場合、前記中継装置における前記リンクアグリゲーションの設定解除と前記変更後のスタック構成機器によるリンクアグリゲーションの設定を実施する処理と、
をコンピュータに実行させるプログラム。
【発明の詳細な説明】
【技術分野】
【０００１】
本発明は、リンクアグリゲーション管理装置、中継装置、リンクアグリゲーション管理方法及びプログラムに関する。
【背景技術】
【０００２】
特許文献１に、複数の中継器を複数の物理回線で相互に接続した構成において、複数の物理回線を用いて論理的な回線を構成するいわゆるリンクアグリゲーションを用いたネットワーク中継システムが開示されている。特許文献１では、いずれかの中継器で障害が発生した場合に、これを確実に検知する構成が提案されている。具体的には、ＩＦＳＷ１，２，４に、ＦＳＷ６〜ＦＳＷ２０が接続されているポートに対してＬＡＧ３４，３６，３８が設定されている構成において、ＦＳＷ６〜ＦＳＷ２０が、ＩＦＳＷ１，２，４に対して検知フレームを送信する。また、ＩＦＳＷ１，２，４もＦＳＷ６〜ＦＳＷ２０に対して検知フレームを送信する。いずれかのＩＦＳＷ１，２，４又はＦＳＷ６〜ＦＳＷ２０で検知フレームが受信できなかった場合、障害が発生したと判断すると記載されている。なお、特許文献１におけるＩＦＳＷ、ＦＳＷは、それぞれインターフェース中継器、ファブリック中継器の略である。
【０００３】
特許文献２には、リンク集約（リンクアグリゲーション）された複数の物理ポートに対して疎通確認するにあたり、そのコスト上昇、工数増大を抑制できるというネットワークシステムが開示されている。具体的には、特許文献２のネットワーク管理装置は、送信元アドレス欄に、自装置のネットワークインターフェースのアドレスとは別の、予め用意された所定のアドレスのうちの１つを仮想送信元アドレスとして設定したフレームを作成する。そして、このネットワーク管理装置は、リンクアグリゲーショングループに集約された複数のポートを有する通信装置の前記複数のポートのうちの少なくとも１つのポート宛てに、前記フレームを送信する。より具体的には、このネットワーク管理装置は、前記ネットワークインターフェースを介して前記通信装置が接続するネットワークに、前記フレームを送信する。そして、このネットワーク管理装置は、前記ポートからの宛先アドレスを前記仮想送信元アドレスとする応答フレームの受信を確認する。
【先行技術文献】
【特許文献】
【０００４】
【特許文献１】特許第５５２７６１３号公報
【特許文献２】特開２０１８−１２５８３４号公報
【発明の概要】
【発明が解決しようとする課題】
【０００５】
以下の分析は、本発明によって与えられたものである。リンクアグリゲーションを利用している場合において、リンクアグリゲーションのスタック構成機器である端末等を交換する場合がある。このとき、リンクアグリゲーションに用いるポートを自動的に設定する自動設定機能が使用できなくなるという問題が知られている。
【０００６】
自動設定機能を使用する場合、一般的には、スタック構成機器は、ＬＡＣＰ（Ｌｉｎｋ  Ａｇｇｒｅｇａｔｉｏｎ  Ｃｏｎｔｒｏｌ  Ｐｒｏｔｏｃｏｌ）を用いて、対向機器等の別の端末から設定情報を取得する。しかしながら、交換直後のスタック構成機器は、当然に、リンクアグリゲーション設定は行われていない。一方で、スタック構成機器と対向機器等との間に中継装置が存在する当該交換対象のスタック構成機器の接続ポートにリンクアグリゲーションの設定が残った状態となる。この状態では、交換直後のスタック構成機器の送信したパケットに対する応答が、リンクアグリゲーション設定により別の機器に送信されるなどして、正しく通信が行えない場合がある。
【０００７】
この問題は、特許文献１の技術を用いても同様に生じうる。特許文献１のネットワーク中継システムにおいては、検知フレームの不達をもって故障と判断し、再接続した際にリンクアグリゲーションの設定を復旧する構成に止まっている。このため、交換後のスタック構成機器から送信したパケットに対する応答が正しく受信されるまでに時間がかかってしまうという問題点がある。
【０００８】
本発明は、リンクアグリゲーションを設定しているスタック構成機器の交換等の容易化に貢献できるリンクアグリゲーション管理装置、中継装置、リンクアグリゲーション管理方法及びプログラムを提供することを目的とする。
【課題を解決するための手段】
【０００９】
第１の視点によれば、所定の中継装置とリンクアグリゲーションを用いて接続された仮想的に１台の装置として動作するスタック構成機器の変更を検出する状態監視部と、前記スタック構成機器の変更を検出した場合、前記中継装置における前記リンクアグリゲーションの設定解除と前記変更後のスタック構成機器によるリンクアグリゲーションの設定を実施する中継装置制御部と、を備えるリンクアグリゲーション管理装置が提供される。
【００１０】
第２の視点によれば、リンクアグリゲーションを用いて接続された仮想的に１台の装置として動作するスタック構成機器の変更を検出する状態監視部と、前記スタック構成機器の変更を検出した場合、前記リンクアグリゲーションの設定解除と前記変更後のスタック構成機器によるリンクアグリゲーションの設定を実施する制御部と、を備える中継装置が提供される。
【００１１】
第３の視点によれば、所定の中継装置とリンクアグリゲーションを用いて接続された仮想的に１台の装置として動作するスタック構成機器の変更を検出し、前記スタック構成機器の変更を検出した場合、前記中継装置における前記リンクアグリゲーションの設定解除と前記変更後のスタック構成機器によるリンクアグリゲーションの設定を実施するリンクアグリゲーション管理方法が提供される。本方法は、前記中継装置を制御するコンピュータという、特定の機械に結びつけられている。
【００１２】
第４の視点によれば、所定の中継装置とリンクアグリゲーションを用いて接続された仮想的に１台の装置として動作するスタック構成機器の変更を検出する処理と、前記スタック構成機器の変更を検出した場合、前記中継装置における前記リンクアグリゲーションの設定解除と前記変更後のスタック構成機器によるリンクアグリゲーションの設定を実施する処理と、をコンピュータに実行させるプログラムが提供される。なお、このプログラムは、コンピュータが読み取り可能な（非トランジトリーな）記憶媒体に記録することができる。即ち、本発明は、コンピュータプログラム製品として具現することも可能である。
【発明の効果】
【００１３】
本発明によれば、リンクアグリゲーションを設定しているスタック構成機器の交換等を容易化することが可能となる。
【図面の簡単な説明】
【００１４】
【図１】本発明の一実施形態の構成を示す図である。
【図２】本発明の一実施形態の動作を説明するための図である。
【図３】本発明の第１の実施形態の構成を示す図である。
【図４】本発明の第１の実施形態におけるスイッチ交換後の状態を示す図である。
【図５】本発明の第１の実施形態の動作を表したシーケンス図である。
【図６】本発明の第１の実施形態の動作を表したフローチャートである。
【図７】本発明の第２の実施形態の構成を示す図である。
【図８】本発明のＬＡＧ管理方法を実施可能なコンピュータの構成を示す図である。
【発明を実施するための形態】
【００１５】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。また、以降の説明で参照する図面等のブロック間の接続線は、双方向及び単方向の双方を含む。一方向矢印については、主たる信号（データ）の流れを模式的に示すものであり、双方向性を排除するものではない。また、図中の各ブロックの入出力の接続点には、ポート乃至インターフェースがあるが図示省略する。また、以下の説明において、「Ａ及び／又はＢ」は、Ａ及びＢの少なくともいずれかという意味で用いる。
【００１６】
本発明は、その一実施形態において、図１に示すように、中継装置制御部１１と、状態監視部１２とを備えるリンクアグリゲーション管理装置１０にて実現できる。より具体的には、状態監視部１２は、所定の中継装置２０とリンクアグリゲーションを用いて接続された仮想的に１台の装置として動作するスタック構成機器３０Ａ、３０Ｂの変更を検出する。ここで、スタック構成機器の変更とは、スタックを構成する機器の交換、追加等をいう。
【００１７】
中継装置制御部１１は、前記スタック構成機器３０Ａ、３０Ｂの変更を検出した場合、前記中継装置２０における前記リンクアグリゲーションの設定解除と前記変更後のスタック構成機器によるリンクアグリゲーションの設定を実施する。
【００１８】
例えば、図１のスタック構成機器３０Ｂが、図２に示すように前記スタック構成機器３０Ｃに置き換えられた場合、状態監視部１２は、スタック構成機器に変更が生じたことを検出する。
【００１９】
この場合、中継装置制御部１１は、まず、中継装置２０に対し、リンクアグリゲーションの設定解除を指示する。これにより、中継装置２０からスタック構成機器側へのパケット転送がスタック構成機器３０Ａに限定される。その次に、中継装置制御部１１は、前記変更後のスタック構成機器３０Ａ、３０Ｃによるリンクアグリゲーションの設定を実施する。以上の手順を経ることにより、スタック構成機器の交換後、速やかにリンクアグリゲーションを動作させることが可能となる。
【００２０】
以上のように、本実施形態のリンクアグリゲーション管理装置１０を用いることで、リンクアグリゲーションを設定しているスタック構成機器の交換等を容易化することが可能となる。
【００２１】
［第１の実施形態］
続いて、本発明の第１の実施形態について図面を参照して詳細に説明する。図３は、本発明の第１の実施形態の構成を示す図である。図３を参照すると、中継装置２０に、リンクアグリゲーション管理装置１０、サーバー４０、及び、スタック構成機器群としてスイッチ３１Ａ、３１Ｂが接続された構成が示されている。
【００２２】
スイッチ３１Ａ、３１Ｂは、中継装置２０と、リンクアグリゲーション（以下、「ＬＡＧ」とも記す。）にて接続されているレイヤ２（Ｌ２）スイッチである。以下の説明では、スイッチ３１Ｂを、スイッチ３１Ｃに交換するものとして説明する。具体的には、スイッチ３１Ｂと接続しているネットワークインターフェースに対し、スイッチ３１Ｃを接続する作業を行うことになる。また、以下の説明では、少なくとも、スイッチ３１Ｂ、３１Ｃは、リンクアグリゲーションの自動設定機能を備えているものとして説明する。以下、スイッチ３１Ａ〜３１Ｃを特に区別しない場合、「スイッチ３１」と記す。
【００２３】
ここで、自動設定機能とは、ＬＡＣＰ（Ｌｉｎｋ  Ａｇｇｒｅｇａｔｉｏｎ  Ｃｏｎｔｒｏｌ  Ｐｒｏｔｏｃｏｌ）を用いて外部の機器からリンクアグリゲーションに関する設定を取得し、自動設定を行う機能である。なお、本実施形態では、スイッチ３１は、未設定状態で起動された際に、設定配布機能４１を有するサーバー４０から設定を取得するものとして説明する。
【００２４】
リンクアグリゲーション管理装置１０は、状態監視部１２と、中継装置制御部１１と、を備えている。
【００２５】
状態監視部１２は、中継装置２０からＬＡＧ構成ポートの接続先のＭＡＣアドレスの通知を受け取ることにより、中継装置２０のＬＡＧ構成ポートにおける接続先のＭＡＣアドレスを監視する。前記監視の結果、ＭＡＣアドレスに変化が生じた場合、状態監視部１２は、スイッチ３１の交換が行われたものと判断する。前記スイッチ３１の交換が行われたものと判断した場合、状態監視部１２は、中継装置制御部１１に、該当スイッチ３１が接続されているポートの情報とともに、リンクアグリゲーション解除通知を送信する。
【００２６】
また、状態監視部１２は、前記交換を検知したポートについて、リンクダウンが行われた場合、スイッチ３１の交換が完了したものと判断する。前記スイッチ３１の交換が完了したものと判断した場合、状態監視部１２は、中継装置制御部１１に、リンクアグリゲーション設定通知を送信する。なお、自動設定機能を備えたスイッチ３１は、自動設定後、設定を反映するため、リンクダウン、リンクアップを行うので、リンクダウンをもって、交換の完了を検出することができる。
【００２７】
中継装置制御部１１は、状態監視部１２からリンクアグリゲーション解除通知（ＬＡＧ解除通知）を受信した場合、中継装置２０に対し、該当ポートのリンクアグリゲーション設定を解除するよう指示する。また、中継装置制御部１１は、状態監視部１２からリンクアグリゲーション設定通知（ＬＡＧ設定通知）を受信した場合、中継装置２０に対し、該当ポートのリンクアグリゲーションの設定を行うよう指示する。
【００２８】
サーバー４０は、設定配布機能４１を有し、中継装置２０を介して自動設定機能を持つスイッチ３１とリンクアグリゲーションを介した通信を行う対向機器である。設定配布機能４１は、ＬＡＣＰを用いてスイッチ３１からの設定情報取得要求に対し、設定情報を送信する機能である。
【００２９】
続いて、本実施形態の動作について図面を参照して詳細に説明する。以下の説明では、図３のように、中継装置２０に接続されていたスイッチ３１Ｂを外し、図４に示すように、スイッチ３１Ｃを接続するものとして説明する。このスイッチの交換の過程における各装置の動作を図５のシーケンス図と、図６のフローチャートを用いて説明する。
【００３０】
まず、状態監視部１２は、中継装置２０のＬＡＧ構成ポートにおける接続先のＭＡＣアドレスを監視する（図５の１：状態監視）。ここでは、スイッチ３１Ｂが中継装置２０のネットワークインターフェースから取り外されたものとする（図５の２：接続解除）。
【００３１】
次に、スイッチ３１Ｃが中継装置２０のネットワークインターフェースに接続されたものとする（図５の３：接続、図６のＳ００１）。前記ネットワークインターフェースにスイッチ３１Ｃが接続されると、中継装置２０は、状態監視部１２に対し、ネットワークインターフェースに接続されたスイッチ３１ＣのＭＡＣアドレスを含む接続通知を送信する（図５の３．１：接続通知）。
【００３２】
状態監視部１２は、接続通知にもとづいて、中継装置２０のＬＡＧ構成ポートにおける接続先のＭＡＣアドレスに変化を検出し、スイッチ３１Ｂがスイッチ３１Ｃに交換されたものと判断する（図６のＳ００２）。
【００３３】
次に、状態監視部１２は、中継装置制御部１１に対し、スイッチ３１Ｃが接続されているポートの情報とともに、ＬＡＧ解除通知を送信する（図５の３．１．１：ＬＡＧ解除通知、図６のＳ００３、Ｓ００４）。
【００３４】
前記ＬＡＧ解除通知を受信した中継装置制御部１１は、中継装置２０に対し、中継装置２０の該当ポートのＬＡＧの設定解除を指示する（図５の３．１．１．１：ＬＡＧ解除設定、図６のＳ００５）。
【００３５】
一方、交換後のスイッチ３１Ｃは、自動設定機能により中継装置２０を介してサーバー４０に対し、設定情報を要求する（図５の４、４．１：設定情報の要求）。サーバー４０は、前記設定情報の要求に応じて、スイッチ３１Ｃに設定情報を送信する（図５の４．１．１、４．１．１．１：設定情報の送信）。
【００３６】
前記設定情報を受信したスイッチ３１Ｃは、受信した設定情報を用いて自動設定を行う（図５の５：自動設定、図６のＳ００６）。自動設定が完了すると、スイッチ３１Ｃは、設定を有効にするため、リンクダウン、リンクアップ動作を行う（図５の６：接続解除、図５の７：接続）。
【００３７】
前記リンクアップ動作によりスイッチ３１Ｃの接続を検知した中継装置２０は、状態監視部１２に対し、ネットワークインターフェースに接続されたスイッチ３１ＣのＭＡＣアドレスを含む接続通知を送信する（図５の７．１：接続通知）。前記接続通知を受信した状態監視部１２は、この接続通知に基づいて、スイッチ３１Ｃの交換が完了したものと判断する（図６のＳ００７）。
【００３８】
次に、状態監視部１２は、中継装置制御部１１に対し、ＬＡＧ設定通知を送信する（図５の７．１．１：ＬＡＧ設定通知、図７のＳ００８、Ｓ００９）。
【００３９】
前記ＬＡＧ設定通知を受信した中継装置制御部１１は、中継装置２０に対し、中継装置２０の該当ポートのＬＡＧの設定を指示する（図５の７．１．１．１：ＬＡＧ設定、図６のＳ００１０）。
【００４０】
以上により、中継装置２０のスイッチ３１Ｃの接続ポートにおけるＬＡＧ設定が完了する。以降、スイッチ３１Ｃと中継装置２０は、ＬＡＧを用いて通信を開始する。
【００４１】
以上のように、リンクアグリゲーション管理装置１０を設けた構成によれば、中継装置２０のポートにＬＡＧが設定されている場合においても、スイッチ３１の自動設定機能を有効化したまま、スイッチ３１の交換を行うことが可能となる。その理由は、リンクアグリゲーション管理装置１０が、スイッチの交換動作を検知し、速やかに中継装置２０のリンクアグリゲーションの設定を解除し、再設定を行う構成を採用したことにある。
【００４２】
［第２の実施形態］
上記した第１の実施形態では、中継装置２０とは別にリンクアグリゲーション管理装置１０を設けるものとして説明したが、中継装置２０ａ自体に、リンクアグリゲーション管理装置１０相当の機能を持たせた構成も採用可能である。
【００４３】
図７は、本発明の第２の実施形態の構成を示す図である。図７を参照すると、中継装置２０ａの内部に、制御部２１と、状態監視部２２が備えられている。制御部２１は、上記第１の実施形態の中継装置制御部１１に相当する。状態監視部２２は、上記第１の実施形態の状態監視部１２に相当する。それぞれの動作は第１の実施形態と同様であるので、説明を省略する。
【００４４】
以上のように、第２の実施形態の構成であっても、第１の実施形態と同様に、スイッチ３１の自動設定機能を有効化したまま、スイッチ３１の交換を行うことが可能となる。
【００４５】
なお、上記第２の実施形態では、制御部２１と状態監視部２２の双方が中継装置２０ａに備えられているものとして説明したが、制御部２１と状態監視部２２の一方又は双方は、それぞれ別の装置として構成されていてもよい。例えば、制御部２１に代えて、中継装置制御装置を別個に設けた構成も採用可能である。同様に、状態監視部２２に代えて、状態監視装置を別個に設けた構成も採用可能である。
【００４６】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００４７】
例えば、上記した各実施形態では、スイッチの交換を検出する例を挙げて説明したが、同様の仕組みにより、スタック構成機器の変更として、スタック構成機器（スイッチ３１）の増設を検出した場合にも適用することができる。この場合、状態監視部１２（２２）が新規のＭＡＣアドレスを持つ機器の追加を検知して、図５の「３：接続」以下の動作が行われる。これにより、リンクアグリゲーションに、物理リンクが１つ追加されることになる。
【００４８】
また例えば、スタック構成機器としてのスイッチ３１の交換を行う例を挙げて説明したが、スタック構成機器はスイッチ３１に限られない。スタック構成機器は、以下の条件を満たすものであればよく、仮想化環境上で動作する仮想スイッチ、ＶＭ（仮想マシン）、サーバー等であってもよい。このような条件を満たしうるものとして、ＶＭｗａｒｅ（登録商標）の分散仮想スイッチ（ｖＤＳ：ｖＳｐｈｅｒｅ  Ｄｉｓｔｒｉｂｕｔｅｄ  Ｓｗｉｔｃｈ）やＷｉｎｄｏｗｓ（登録商標）サーバーのＮＬＢ（Ｎｅｔｗｏｒｋ  Ｌｏａｄ  Ｂａｌａｎｃｅｒ）クラスタ等が挙げられる。
・複数台の機器の各インターフェースが中継装置２０のインターフェースと負荷分散を行うよう接続されていること。
・中継装置２０からインターフェースのＭＡＣアドレスを取得可能、また、端末交換時にＭＡＣアドレスが変化すること。
・各機器が自動設定機能を持ち、設定完了時にインターフェースのリンクダウン、リンクアップまたは、端末再起動を行うこと。
【００４９】
また、上記した第１〜第２の実施形態に示した手順は、中継装置制御部１１（２１）又は／及び状態監視部１２（２２）として機能するコンピュータ（図８の９０００）に、これらの機能を実現させるプログラムにより実現可能である。このようなコンピュータは、図８のＣＰＵ（Ｃｅｎｔｒａｌ  Ｐｒｏｃｅｓｓｉｎｇ  Ｕｎｉｔ）９０１０、通信インターフェース９０２０、メモリ９０３０、補助記憶装置９０４０を備える構成に例示される。すなわち、図８のＣＰＵ９０１０にて、状態監視プログラムや中継装置制御プログラムを実行し、その補助記憶装置９０４０等に保持された各計算パラメーターの更新処理を実施させればよい。
【００５０】
即ち、上記したリンクアグリゲーション管理装置１０や中継装置２０の各部（処理手段、機能）は、これらの装置に搭載されたプロセッサに、そのハードウェアを用いて、上記した各処理を実行させるコンピュータプログラムにより実現することができる。
【００５１】
最後に、本発明の好ましい形態を要約する。
［第１の形態］
（上記第１の視点によるリンクアグリゲーション管理装置参照）
［第２の形態］
上記したリンクアグリゲーション管理装置の状態監視部は、前記スタック構成機器のＭＡＣアドレスの変化により、前記スタック構成機器の変更を検出する構成を採ることができる。
［第３の形態］
上記したリンクアグリゲーション管理装置の状態監視部は、
前記変更後のスタック構成機器と前記中継装置とのリンクダウンと再接続の検出を契機として、前記中継装置制御部に対し、リンクアグリゲーション設定通知を送信し、
前記中継装置制御部は、前記リンクアグリゲーション設定通知の受信を契機として、前記変更後のスタック構成機器によるリンクアグリゲーションの設定を実施する構成を採ることができる。
［第４の形態］
上記したリンクアグリゲーション管理装置の前記スタック構成機器の変更として、前記スタック構成機器の増設を検出する構成を採ることができる。
［第５の形態］
（上記第２の視点による中継装置参照）
［第６の形態］
（上記第３の視点によるリンクアグリゲーション管理方法参照）
［第７の形態］
（上記第４の視点によるプログラム参照）
なお、上記第５〜第７の形態は、第１の形態と同様に、第２〜第４の形態に展開することが可能である。
【００５２】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択（部分的削除を含む）が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００５３】
１０  リンクアグリゲーション管理装置
１１  中継装置制御部
１２、２２  状態監視部
２０、２０ａ  中継装置
２１  制御部
３０Ａ、３０Ｂ、３０Ｃ  スタック構成機器
３１、３１Ａ、３１Ｂ、３１Ｃ  スイッチ
４０  サーバー
４１  設定配布機能
９０００  コンピュータ
９０１０  ＣＰＵ
９０２０  通信インターフェース
９０３０  メモリ
９０４０  補助記憶装置
【図１】
2020088714.tif 000003
【図２】
2020088714.tif 000004
【図３】
2020088714.tif 000005
【図４】
2020088714.tif 000006
【図５】
2020088714.tif 000007
【図６】
2020088714.tif 000008
【図７】
2020088714.tif 000009
【図８】
2020088714.tif 000010